(57)【特許請求の範囲】
【請求項１】
画像データを入力する入力スキャナと、
画像データをフィルムに出力する複数の出力スキャナと、
前記出力スキャナの出力条件を記憶する記憶装置と、
複数の端末装置とがネットワークに接続された製版システムであって、
前記端末装置は、
前記複数の出力スキャナのうちのいずれかの出力スキャナを特定すると、前記記憶装置から特定された出力スキャナの前記出力条件を読み取る手段と、
前記入力スキャナに、読み取られた前記出力条件に適合する入力条件で入力を行わせる手段と、
を、具備することを特徴とする製版システム。
【請求項２】
所定の入力条件で画像データを入力する入力スキャナと、
画像データをフィルムに出力する複数の出力スキャナと、
前記出力スキャナの出力条件を記憶する記憶装置と、
複数の端末装置と、画像密度変換装置とが、ネットワークに接続された製版システムであって、
前記端末装置は、
前記複数の出力スキャナのうちいずれかの出力スキャナを特定し、前記記憶装置から特定された出力スキャナの出力条件を読み取る手段と、
読み取られた出力条件と前記入力スキャナの入力条件を基に、前記画像密度変換装置に、前記入力された画像の画像密度変換を行わせる手段と、
前記特定された出力スキャナに、画像密度変換された画像の出力を行わせる手段と、
を、具備することを特徴とする製版システム。
【請求項３】
前記入力スキャナの前記入力条件、及び前記出力スキャナの前記出力条件は、ピクセル長であることを特徴とする請求項１又は請求項２記載の製版システム。
【発明の詳細な説明】
【０００１】
【発明の属する技術分野】
本発明は、印刷用製版システムに関するものである。
【０００２】
【従来の技術】
一般に製版システムでは、入力スキャナと出力スキャナを備え、入力スキャナで写真等の画像を入力し、この画像を出力スキャナでフィルムに出力する。そして、そのフィルムを版として用いて印刷を行なう。ところで製版システムを構築する場合、自社製のスキャナの接続を前提に設計されており、他社製のスキャナの出力条件を登録しておく仕組みはなかった。
【０００３】
【発明が解決しようとする課題】
このため、１つの製版システム内に、製造元の異なる入出力スキャナを混在させて使用することが困難であり、柔軟なシステムの構築、運用がしずらいという問題があった。また、出力サイズの絶対精度が厳しく要求され場合、各スキャナ毎に正確な解像度を実測する必要があるが、従来の製版システムでは、これを登録する仕組みがなかった。
【０００４】
本発明は、このような問題に鑑みてなされたもので、その目的とするところは、柔軟なシステムの構築および運用が行え、また精度の良い出力が可能な製版システムを提供することにある。
【０００５】
【課題を解決するための手段】
前述した目的を達成するために第１の発明は、画像データを入力する入力スキャナと、画像データをフィルムに出力する複数の出力スキャナと、前記出力スキャナの出力条件を記憶する記憶装置と、複数の端末装置とがネットワークに接続された製版システムであって、前記端末装置は、前記複数の出力スキャナのうちのいずれかの出力スキャナを特定すると、前記記憶装置から特定された出力スキャナの前記出力条件を読み取る手段と、前記入力スキャナに、読み取られた前記出力条件に適合する条件で入力を行わせる手段とを、具備することを特徴とする製版システムである。
【０００６】
第１の発明では、複数の出力スキャナのうちいずれかの出力スキャナを特定すると、記憶装置から特定された出力スキャナの出力条件を読み取り、読み取られた出力条件に応じて、入力スキャナで入力を行なう。
【０００７】
また、第２の本発明は、所定の入力条件で画像データを入力する入力スキャナと、画像データをフィルムに出力する複数の出力スキャナと、前記出力スキャナの出力条件を記憶する記憶装置と、複数の端末装置と、画像密度変換装置とが、ネットワークに接続された製版システムであって、前記端末装置は、前記複数の出力スキャナのうちいずれかの出力スキャナを特定し、前記記憶装置から特定された出力スキャナの出力条件を読み取る手段と、読み取られた出力条件と前記入力スキャナの入力条件を基に、前記画像密度変換装置に、前記入力された画像の画像密度変換を行わせる手段と、前記特定された出力スキャナに、画像密度変換された画像の出力を行わせる手段とを、具備することを特徴とする製版システムである。
【０００８】
第２の発明では、出力スキャナを特定すると、記憶装置から特定された出力スキャナの出力条件を読み取り、読み取られた出力条件と、入力スキャナの入力条件に応じて入力された画像の画素密度変換を行ない、特定された出力スキャナで画素密度変換された画像の出力を行なう。
【０００９】
【発明の実施の形態】
以下、図面に基づいて本発明の実施の形態を詳細に説明する。図１は、本実施の形態に係るネットワーク型電子製版システム１の基本構成図である。このネットワーク型電子製版システムでは、入力スキャナ３ａ、３ｂ、コンピュータ５ａ、５ｂ、作図装置７、画像処理装置９、データ保管装置１１、集版演算装置１３、出力スキャナ１５ａ、１５ｂ、・・・１５ｎ、コンピュータ１７ａ、１７ｂ、・・・１７ｎ、がネットワーク１９上に設けられる。
【００１０】
入力スキャナ３ａ、３ｂはドラム（図示せず）上に所定の角度で貼り付けられた写真等の原稿を読み取り、画像データを生成する。原稿は色分解され、各色成分毎に画像データとして取り込まれ、入力スキャナ３ａ、３ｂに直結したコンピュータ５ａ、５ｂに一旦保管される。コンピュータ５ａ、５ｂは、夫々入力スキャナ３ａ、３ｂから入力された画像データを保管し、データ保管装置１１に転送する。
【００１１】
作図装置７は例えばデジタイザであり、作図領域およびポインティングディバイス（図示せず）を有しており、作図領域上にレイアウト用図形が描かれた割付指定紙を貼り付け、レイアウト用図形の特徴点等を入力することによってレイアウト用図形を取り込む。取り込まれたレイアウト用図形はデータ保管装置１１に保管される。
【００１２】
画像処理装置９は、データ保管装置１１に保管された画像データやレイアウト用図形を表示し、画像データとレイアウト用図形の位置合わせや色修正等の処理を行なう。データ保管装置１１は例えば磁気ディスク装置であり、コンピュータ５から送られる画像データや作図装置７から送られるレイアウト用図形、出力条件ファイル２１、ページ情報ファイル、集版演算装置１３で作成された１ページ分のデータ（最終データ）等を保管する。
【００１３】
集版演算装置１３は、データ保管装置１１に保管された個々の画像データや画像の位置情報等から１ページ分のデータ（最終データ）を作成し、データ保管装置１１に転送する。
【００１４】
コンピュータ１７ａ、１７ｂ、・・・は、最終データをデータ保管装置１１から読みだし、出力スキャナ１５ａ、１５ｂ、・・・に最終データを送る。出力スキャナ１５ａ、１５ｂ、・・・は、コンピュータ１７ａ、１７ｂ、・・・から送られた最終データをドラム上に装着されたロールフィルム上に各色成分ごとに出力する。
【００１５】
図２は、出力条件ファイル２１の内容を示す図である。スキャナ名は、各出力スキャナの名前を示す。出力条件ファイル２１は出力スキャナ名に基づいて分類され、各出力スキャナ毎に出力線数、解像度、ピクセル長が登録されている。出力線数とは、網点のピッチを示し、通常１インチ当たりに何本の網点の列が並んでいるかを示すものである。解像度とは、１インチ当たりの画素（ピクセル）数のことである。尚、解像度は、理論値であり、実際にフィルム出力すると出力スキャナの精度により多少理論値からずれた大きさになる。ピクセル長とは、１画素のサイズであり、あらかじめ出力物のサイズを測定し、出力物サイズと画素数からピクセル長（ピクセル長＝出力物サイズ／画素数）を求める。このように、出力条件ファイル２１には、理論値である解像度と、精度を出すために出力物から測定して求めたピクセル長とが登録される。
【００１６】
次に、本実施の形態の動作について説明する。図３は、本実施の形態の動作を示すフローチャートである。出力スキャナ１５ａで出力する場合について説明する。まず、出力スキャナ名と出力線数をコンピュータ５ａ等を介して指定して、出力スキャナ１５の特定を行なう（ステップ３０１）。例えば、出力スキャナ１５ａがＳＣＡＮ１という名前の出力スキャナで、出力線数が「１７５」であるとすると、出力スキャナ名ＳＣＡＮ１と出力線数「１７５」を指定する。指定した結果はデータ保管装置１１のページ情報ファイルに記録される。
【００１７】
コンピュータ５は、データ保管装置１１から出力条件ファイル２１を読み出し、出力スキャナのピクセル長を得る（ステップ３０２）。この場合には、出力条件ファイル２１のＳＣＡＮ１というスキャナの３番めに登録されている出力条件が、ＳＣＡＮ１という名前の出力スキャナの、出力線数が「１７５」の出力条件であるので、ピクセル長６３５０２ｎｍを得る。得られたピクセル長で、入力スキャナ３ａから画像データの入力を行なう（ステップ３０３）。
【００１８】
その後は、通常の製版のための処理を行ない、特定された出力スキャナ１５ａで画像を出力する。（ステップ３０４）。この場合、出力スキャナ１５ａが、コンピュータ１７ａから送られた１ページ分のデータを、ドラム上に装着されたロールフィルム上に各色成分ごとに出力する。
【００１９】
このように本実施の形態によれば、接続されている出力スキャナのあらかじめ実測により算出したピクセル長を出力条件ファイル２１に登録しておくようにしたので、製造元の異なる入出力スキャナの混在を許す等柔軟なシステム構築が可能となる。
【００２０】
図４は、第２の実施の形態の動作を示すフローチャートである。第２の実施の形態では、出力スキャナ１５ｂで出力する場合について説明する。まず、システム固有の解像度で、入力スキャナから画像データの入力を行なう（ステップ４０１）。この場合、例えば入力スキャナ３ａを用いて、システム固有の解像度３５６ｄｐｉ（ピクセル長＝７１３４８ｎｍ）で入力を行なう。
【００２１】
その後は、通常の製版のための処理を行ない、データ保管装置１１に個々の画像データや画像の位置情報等を保管する（ステップ４０２）。
【００２２】
出力スキャナを用いて画像の出力を行なう場合、出力スキャナ名と出力線数を集版演算装置１３を介して指定して、出力条件の特定を行なう（ステップ４０３）。例えば、出力条件を出力スキャナがＳＣＡＮ２で出力線数が「１３３」であるとする。
【００２３】
集版演算装置１３は、データ保管装置１１から出力条件ファイル２１を読み出し、ピクセル長を得る（ステップ４０４）。この場合には、出力条件ファイル２１に登録されているＳＣＡＮ２の１番目の出力条件からピクセル長は９５４９０ｎｍを得る。
【００２４】
次に、集版演算装置１３は、集版演算実行時に、個々の画像の画素密度変換も合わせて行う（ステップ４０５）。この場合、入力時のピクセル長は、７１３４８ｎｍであり、出力時のピクセル長は、９５４９０ｎｍであるので、出力時の画素数は、入力時の画素数の７１３４８÷９５４９０＊１００＝７４．７％になる。このため、集版演算装置１３は、画素密度変換を行ない、画像データを７４．７％に間引く演算を行なう。
【００２５】
演算終了後、出力スキャナ１５ｂで画像出力する（ステップ４０６）。この場合、コンピュータ１７ｂは、データ保管装置１１より最終データを読み込み、出力スキャナ１５ｂに１ページ分のデータを送る。出力スキャナ１５ｂは、コンピュータ１７ｂから送られた１ページ分のデータをドラム上に装着されたロールフィルム上に各色成分ごとに出力する。
【００２６】
このように第２の実施の形態によれば、入力スキャナで入力を行うときに、出力スキャナを決定する必要がなく、出力スキャナは出力の直前に決定すれば良いので、複数の出力スキャナを効率的に使用することができる。
【００２７】
尚、前述した各実施の形態は、ネットワーク型電子製版システム１を取り上げて説明したが、本発明はネットワーク型電子製版システム１に限らず他の製版システムにも用いることができる。
【００２８】
【発明の効果】
以上、詳細に説明したように本発明によれば、柔軟なシステムの構築および運用が行え、また精度の良い出力が可能な製版システムを提供することができる。
【図面の簡単な説明】
【図１】ネットワーク型電子製版システム１の基本構成図
【図２】出力条件ファイル２１の内容を示す図
【図３】第１の実施の形態の動作を示すフローチャート
【図４】第２の実施の形態の動作を示すフローチャート
【符号の説明】
１・・・ネットワーク型電子製版システム
３・・・入力スキャナ
５・・・コンピュータ
７・・・作図装置
９・・・画像処理装置
１１・・・データ保管装置
１３・・・集版演算装置
１５・・・出力スキャナ
１７・・・コンピュータ
１９・・・ネットワーク
２１・・・出力条件ファイル
【図１】
0003595389.tif 000002
【図２】
0003595389.tif 000003
【図３】
0003595389.tif 000004
【図４】
0003595389.tif 000005